(57)【要約】【課題】ＲＥＣ１３０とＲＥ１４０との間のＣＰＲＩリンクを一般的な光回線で実現できることが好ましい。特に、エントランス無線を用いてＣＰＲＩリンクを実現できることが好ましい。【解決手段】一実施形態による、無線基地局と前記無線基地局を制御する無線ネットワーク制御局との間のインタフェースで使用される第１のフレームと、前記無線基地局内の無線部と無線制御部との間のインタフェースで使用される第２のフレームとを変換する方法は、前記第１のフレームに前記第２のフレームを所定比率でマッピングする段階を含み、マッピング後の前記第１のフレームには、前記第２のフレームのユーザデータ、同期情報、監視制御情報、回線情報を含む。【選択図】図３
2010166509.tif 000002
【特許請求の範囲】
【請求項１】
無線基地局と前記無線基地局を制御する無線ネットワーク制御局との間のインタフェースで使用される第１のフレームと、前記無線基地局内の無線部と無線制御部との間のインタフェースで使用される第２のフレームとを変換する方法であって、
前記第１のフレームに前記第２のフレームを所定比率でマッピングする段階を含み、
マッピング後の前記第１のフレームには、前記第２のフレームのユーザデータ、区切り情報、同期情報、監視制御情報、回線情報を含む方法。
【請求項２】
前記第１のフレームは同期転送モードフレームであり、前記第２のフレームはＣＰＲＩ（Common Public Radio Interface）フレームであり、
前記第１のフレームに前記第２のフレームを所定比率でマッピングする段階は、８個の同期転送モードフレームを含む拡張フレームに、３，８４０個のＣＰＲＩフレームからユーザデータ、フレーム区切り情報、同期情報、監視制御情報、及び回線情報をマッピングする段階を含む、請求項１に記載の方法。
【請求項３】
前記マッピング後の前記第１のフレームには、前記第２のフレームのユーザデータの０乃至４０ビットを含む、請求項１または２に記載の方法。
【請求項４】
前記区切り情報、同期情報、監視制御情報、及び回線情報は、前記第２のフレームを縮小した縮小フレームのうち０、１、２、６４、６５、６６、１２８、１２９、１３０、１９２、１９３、１９４番目の縮小フレームに配置される、請求項１ないし３いずれか一項に記載の方法。
【請求項５】
前記ユーザデータとして、ＩＱサンプル幅２０ビットで１アンテナ・キャリア、ＩＱサンプル幅１５ビットで１アンテナ・キャリア、またはＩＱサンプル幅１０ビットで２アンテナ・キャリアを収容する、請求項２に記載の方法。
【請求項６】
請求項１乃至５いずれか一項に記載の方法を用いてＣＰＲＩフレームとＳＴＭフレームとを変換するフレーム変換部を有するエントランス無線装置。
【発明の詳細な説明】
【技術分野】
【０００１】
本発明はフレーム変換方法と、その変換方法を利用したエントランス無線装置とに関する。
【背景技術】
【０００２】
無線通信ネットワークを構成する無線基地局（以下、ＢＴＳとも呼ぶ）では、無線制御部（以下、ＲＥＣとも呼ぶ）と複数の無線部（以下、ＲＥとも呼ぶ）とが物理的に離れた場所に設置され、その間を光ファイバーで結ぶ１対多の接続形態が一般化している。また無線制御部と無線部とをコモン・パブリック・ラジオ・インターフェース（Common Public Radio Interface、以下ＣＰＲＩとも呼ぶ）を用いて接続する場合が増加している。
【０００３】
図１Ａは、内部インターフェースとしてＣＰＲＩを用いた無線基地局１００を示すブロック図である。図１Ａに示した無線基地局は、監視制御を受け持つＲＥＣ１３０と、ＩＱデジタル信号の送受信機能とアナログ無線機能を持つ複数（ｎ個）のＲＥ１５０（ＲＥ＃１〜ｎ）とを有する。ＲＥＣ１３０及び各ＲＥ１５０の間は、一般的に光ファイバーを用いたＣＰＲＩリンクにより接続されている。ＲＥ１５０は例えば地下街などに設置され、ＲＥＣ１３０が設置された場所からは十分な電波が到達しないような場所においても移動端末１７０を使用可能とすることができる。
【０００４】
図１Ｂまたは図１Ｃは、図１Ａを立体的に示したものである。
【０００５】
図１Ｂにおいて、無線基地局１０１にはＲＥＣ１３０が設けられ、ＳＴＭ１回線を介して無線ネットワーク制御局（図示せず。以下、ＲＮＣとも呼ぶ）と接続されている。ＲＥＣ１３０は無線基地局１０１の塔上に設置されたＲＥ１５０とＣＰＲＩリンクで接続されている。これにより、ＲＥ１５０をアンテナ１５５の近くに設置することができる。
【０００６】
また、図１Ｃにおいて、無線基地局１０２にはＲＥＣ１３０が設けられているが、ＲＥ１５０は無線基地局１０２から物理的に離れた（０〜１０ｋｍ程度）場所に建てられた塔上に設けられている。
【０００７】
このように、現在の無線基地局では、ベースバンド処理部を含む無線制御部（ＲＥＣ）と、無線送受信部を含む無線部（ＲＥ）を分割して光ファイバーを介して、コモン・パブリック・ラジオ・インターフェース（ＣＰＲＩ）と呼ばれるプロトコルを用いて接続することが一般的になりつつある。ＲＥをＲＥＣから分離してアンテナの近くに設置することにより特性の向上が見込めるなどの利点があるからである。
【０００８】
無線ネットワーク制御局と無線基地局とは一般的に光ファイバーを用いたＳＴＭ１回線で接続される。しかし、無線ネットワーク制御局と無線基地局との間に光ファイバーの敷設が困難な場合などは、エントランス無線で接続する。
【０００９】
図２は無線ネットワーク制御局２００と無線基地局２０１とをエントランス無線機２１０、２２０で接続した無線通信システムを示すブロック図である。無線ネットワーク制御局（中央局）２００において、無線ネットワーク制御部１１０（以下、ＲＮＣとも呼ぶ）はＳＴＭ１回線を介してエントランス無線機２１０に接続されている。エントランス無線機２１０は、無線基地局２０１のエントランス無線機２２０と接続されている。また、無線基地局２０１において、エントランス無線機２２０はＳＴＭ１回線を介してＲＥＣ１３０に接続され、ＲＥＣ１３０は光ファイバーを用いたＣＰＲＩリンクを介してＲＥ１５０に接続されている。
【００１０】
なお、従来技術として、ＧＦＰ−Ｔフレームによってクライアント信号をカプセル化し、クライアント信号の送信を行うためにＧＦＰ−ＴフレームをＣＰＲＩリンク中にマップすることが提案されている。
【特許文献１】特開２００７−１２４６０８号公報
【非特許文献１】CPRI Specification V3.0 (2006-10-20)、（http://www.CPRI.info/spec.html）
【発明の開示】
【発明が解決しようとする課題】
【００１１】
このように、従来、ＲＥＣ１３０とＲＥ１４０との間は一般的に光ファイバーを用いたＣＰＲＩリンクで接続されている。
【００１２】
しかし、ＣＰＲＩの仕様で規定された物理レイヤは、一般的な光回線の仕様（ＳＤＨやＳＯＮＥＴなど）で規定された物理レイヤとは異なるため、ＣＰＲＩ専用の光ファイバーの敷設が必要となる。
【００１３】
このような場合に、ＲＥＣ１３０とＲＥ１４０との間のＣＰＲＩリンクを一般的な光回線で実現できることが好ましい。
【００１４】
また、ＲＥＣ１３０とＲＥ１４０との間に光ファイバーの敷設が困難である場合、ＲＥＣ１３０とＲＥ１４０との間をエントランス無線で接続することが好ましい。
【課題を解決するための手段】
【００１５】
一実施形態による、無線基地局と前記無線基地局を制御する無線ネットワーク制御局との間のインタフェースで使用される第１のフレームと、前記無線基地局内の無線部と無線制御部との間のインタフェースで使用される第２のフレームとを変換する方法は、前記第１のフレームに前記第２のフレームを所定比率でマッピングする段階を含み、マッピング後の前記第１のフレームには、前記第２のフレームのユーザデータ、フレーム区切り情報、同期情報、監視制御情報、回線情報を含む。
【００１６】
また、一実施形態によるエントランス無線装置は、上記の方法を用いて第１のフレームと第２のフレームとを変換するフレーム変換部を有する。
【発明の効果】
【００１７】
無線制御部と無線部とを、一般的な光回線（ＳＤＨやＳＯＮＥＴなど）やエントランス無線を介したＣＰＲＩリンクで接続することができる。
【発明を実施するための最良の形態】
【００１８】
本発明の実施形態を、図面を参照して詳細に説明する。同一または対応する構成要素には図面にわたって同一または対応する参照符号を付した。
【００１９】
以下、エントランス無線を例にとって実施形態を説明するが、ＣＰＲＩリンクを構成するものは必ずしもエントランス無線である必要はなく、一般的な光回線（ＳＤＨやＳＯＮＥＴなど）を用いることも可能である。
【００２０】
図３は、一実施形態によるエントランス無線を用いたＣＰＲＩリンクを示すブロック図である。
【００２１】
図３に示したＢＴＳ設置局舎３００には、監視制御を受け持つＲＥＣ１３０と、複数（ｎ個）のエントランス無線機３１０とが設けられている。ＲＥＣ１３０と各エントランス無線機３１０とは、光ファイバーを用いたＣＰＲＩリンクで接続されている。
【００２２】
一方、図３に示した複数（ｎ個）のＲＥ設置局舎３０１には、それぞれ、エントランス無線機３１０と対応するエントランス無線機３２０と、ＩＱデジタル信号の送受信機能とアナログ無線機能を持つＲＥ１５０（ＲＥ＃１〜ｎ）とが設けられている。エントランス無線機３２０とＲＥ１５０とは、光ファイバーを用いたＣＰＲＩリンクにより接続されている。
【００２３】
エントランス無線機３１０と、それに対応するエントランス無線機３２０とは、エントランス無線を用いたＣＰＲＩリンクにより接続されている。エントランス無線を用いたＣＰＲＩリンクについては、以下に詳しく説明する。
【００２４】
このように、エントランス無線を用いたＣＰＲＩリンクでＲＥＣ１３０とＲＥ１２０との間を接続することにより、ＢＴＳ設置局舎３００とＲＥ設置局舎３０１との間に光ファイバー回線を敷設せずにＲＥＣ１３０とＲＥ１５０との間のＣＰＲＩリンクを実現することができる。
【００２５】
図３を立体的に表すと図４のようになる。図４は、エントランス無線を用いたＣＰＲＩリンクを立体的に示した図である。ただし、図３では、ＲＥＣ１３０はＢＴＳ設置局舎３００に設置されているものとしたが、図４では、ＲＥＣ１３０はＲＮＣ１１０とともに中央局４００に設置されているものとする。
【００２６】
図４に示した中央局４００において、ＲＮＣ１１０はＳＴＭ１回線を介してＲＥＣ１３０と接続されている。ＲＥＣ１３０は、通常のＣＰＲＩリンクを介してエントランス無線機３１０と接続されている。
【００２７】
エントランス無線機３１０は、エントランス無線を用いたＣＰＲＩリンクを介して、ＲＥ設置局舎３０１に設置した塔上のエントランス無線機３２０と接続されている。また、エントランス無線機３２０は、通常のＣＰＲＩリンクを介して、同じく塔上のＲＥ１５０と接続されている。これにより、ＲＥ１５０と移動端末（ＭＳ）１７０との間に無線通信を行うことができる。
【００２８】
エントランス無線を用いたＣＰＲＩリンクは、一実施形態によるＳＴＭフレームとＣＰＲＩフレームの変換方法により実現することができる。この変換方法を説明する前に、まずＣＰＲＩリンクの概要を説明し、その後、一実施形態による変換方法を説明する。
［ＣＰＲＩリンクの概要］
図５は、ＣＰＲＩのプロトコルの概要を示す図である。ユーザ情報転送プレーン（Ｕｓｅｒ−ｐｌａｎｅ）は、デジタルベースバンド信号のユーザ情報であるＩＱデータを用いる。また、ＣＰＲＩにおける保守監視信号の送受信は、ＨＤＬＣリンクのＬＡＰＢプロトコルを使用し、その上位レイヤであるＣｏｎｔｒｏｌ&Ｍａｎａｇｅｍｅｎｔ  Ｐｌａｎｅ（Ｃ&Ｍ−ｐｌａｎｅ）を用いることになっている。ベンダー特有領域（Vender Specific）はベンダーが独自に仕様を決定でき、ＣＰＲＩでは特に規定されていない。Ｌ１  Ｉｎｂａｎｄは回線情報を示す。Ｃ&Ｍ−ｐｌａｎｅの信号フォーマットの例を図６Ａに示し、そのパラメータの例を図６Ｂに示す。
【００２９】
図７は、ＩＱデータブロックの収容方法を示すビットマップである。
【００３０】
図７（Ａ）は、ＩＱデータが１５ビット／アンテナ・キャリアであり、１アンテナ・キャリア分のＩＱデータをＩＱデータブロックに収容する場合である。Ｉ０およびＱ０はＬＳＢを示し、Ｉ１４およびＱ１４はＭＳＢを示す。
【００３１】
１アンテナ・キャリア内のＩＱデータのマッピング方法については、ＬＳＢビットからＭＳＢビットへ、ＩＱデータを交互に、年代順に配置する。また、中間にリザーブビットは入れずに、連続して配置する。
【００３２】
図７（Ｂ）は、ＩＱデータが１５ビット／アンテナ・キャリアで、Ｉ，Ｑビットの割り当てが１４ビット目に無いためにリザーブビット（Reserve bit）としている場合の例である。
【００３３】
図７（Ｃ）は、３アンテナ・キャリア分のＩＱデータをＩＱデータブロックに収容する場合のビットマップの例である。
【００３４】
図７（Ｄ）は、ＩＱデータが１５ビット／アンテナ・キャリアで、４アンテナ・キャリア分のＩＱデータを２キャリアで、各キャリアを２ブランチ＝ダイバシティ構成のＩＱデータブロックに収容する場合を示す。
【００３５】
同一無線局内に収容されたそれぞれのＲＥは、同一のＲＥＣと接続しているが、それぞれ独立したＣＰＲＩリンクに接続されるため、ＲＥ-ＲＥ間は独立している。そのため、ＣＰＲＩリンクが切れた場合は配下のコントロールができなくなる。
【００３６】
ＣＰＲＩリンク内は使用しているアンテナ・キャリア数によって使用するデータ量が決まる。そのため、最大構成アンテナ・キャリア数のデータ転送をしていない場合には、ＩＱデータ転送領域に空きがある。
【００３７】
図８は、１ハイパー・フレーム内のサブチャネルを示す図である。コントロール・ワードは、１ハイパー・フレームごとに図８に示したようにマッピングされている。
［一実施形態によるフレーム変換方法］
一実施形態によるＳＴＭフレームとＣＰＲＩフレームの変換方法により実現することができる。
【００３８】
図９は、ＣＰＲＩフレームを示す図である。ＣＰＲＩフレームは、無線基地局内の無線基地局内の無線信号を送受信する無線部と、無線部を制御する無線制御部との間のインタフェースで使用されるフレームである。
【００３９】
ＣＰＲＩフレームは、図９に示したベーシック・フレーム（basic frame、ｂｆ）を基本とし、２５６個のベーシック・フレーム（basic frame、ｂｆ）を１個のハイパー・フレーム（hyper frame、ｈｆ）とし、さらに１５０個のハイパー・フレーム（hyper frame、ｈｆ）を１個のＢＦＮとして構成される。ＣＰＲＩリンクにおいては、hyper frame（ｈｆ）単位でフレーム同期がとられる。
【００４０】
図１０は、ＳＴＭ１フレームを示す図である。ＳＴＭ１フレームは、移動局との無線通信を行う無線基地局と、無線基地局を制御する無線ネットワーク制御局との間のインタフェースで使用されるフレームである。
【００４１】
一般的な光回線（例えば同期デジタル・ハイアラーキＳＤＨに基づくもの）では、図１０に示したように、１２５μｓ（１／８０００秒）の周期で同期転送モードのフレーム（ＳＴＭ１フレーム）を多重して伝送する。１秒間にはＳＴＭ１フレームが８０００フレーム伝送される。
【００４２】
図１１において、１秒を基準としてＣＰＲＩフレームとＳＴＭ１フレームとを対比した。ＣＰＲＩフレームは、１秒間には、１００ＢＦＮ、すなわち１５０００ハイパー・フレーム、すなわち３，８４０，０００ベーシック・フレームが伝送される。一方、ＳＴＭ１フレームは、１秒間に８０００ＳＴＭ１フレームが伝送される。
【００４３】
ＣＰＲＩとＳＴＭ１とで同期を取るために、新たに同期フレームを定義する。図１２に示したように、同期フレームとして、ＣＰＲＩの１５ハイパー・フレーム（ｈｆ）を束ねて、８ＳＴＭ１フレームに割り当てる。これは１ｍｓの時間に相当する。これは、１個のＳＴＭ１フレームに対し、４８０個のＣＰＲＩベーシック・フレームを割り当てることとなる。
【００４４】
このように同期フレームを定義して、ＣＰＲＩリンクとＳＴＭ１回線との同期をとることができる。
【００４５】
以下に１同期フレーム内に格納されるＳＴＭ１フレームとＣＰＲＩハイパー・フレーム及びベーシック・フレームのマッピングを表１に示す。
【００４６】
【表１】
2010166509.tif 000003
ＳＴＭ１フレームで信号損失（ＬＯＳ）やフレーム損失（ＬＯＦ）が発生した場合、そのフレームに含まれるＣＰＲＩハイパー・フレームの信号損失やフレーム損失とみなす。例えば、表１のＳＴＭ＃２がフレーム損失（ＬＯＦ）となった場合、ＣＰＲＩハイパー・フレームのｈｆ＃３〜５にフレーム損失（ＬＯＦ）が生じたものとみなす。
【００４７】
ＳＴＭ１の伝送路容量は１５５Ｍｂｐｓであるのに対し、ＣＰＲＩ（クラス０）の伝送路要領は６１４Ｍｂｐｓであるため、そのままではＳＴＭフレームにＣＰＲＩフレームをマッピングすることは出来ない。
【００４８】
そこで、装置構成にもよるが、ＣＰＲＩ伝送において大部分を占めるＩＱデータは未使用部分が多いことを利用して、本実施形態では、最低１アンテナ・キャリア（Ａ×Ｃ、antenna carrier）、最大２アンテナ・キャリア分の帯域をＳＴＭ１上に確保するフレームを新たに定義する。ＣＰＲＩのクラス０では、最大７アンテナ・キャリア、最小３アンテナ・キャリアと規定されている。しかし、実際には１キャリアしか持たないＲＥ装置が多くあるため、このように定義しても本実施形態を適用する余地は十分にある。
【００４９】
ＣＰＲＩでは、仕様上、ＩＱサンプル幅は最小８ビット、最大２０ビットとなっているから、１アンテナ・キャリアを収容するには１ベーシック・フレームで４０ビットのＩＱ格納領域が必要になる。そこで、図１３に示すように、４０ビット（＃０〜３９）を単位として１縮小ベーシック・フレームを定義する。
【００５０】
この縮小ベーシック・フレームには、例として図に示したようにアンテナ・キャリア（Ａ×Ｃ）を収容することができる。図１４（Ａ）は、ＩＱサンプル幅２０ビットで１アンテナ・キャリアを収容した例である。図１４（Ｂ）は、ＩＱサンプル幅１５ビットで１アンテナ・キャリアを収容した例である。図１４（Ｃ）は、ＩＱサンプル幅１０ビットで２アンテナ・キャリアを収容した例である。
【００５１】
図１５Ａは、コントロール・ワードを含む縮小ベーシック・フレームを示す図である。また、図１５Ｂは、コントロール・ワードを含む縮小ベーシック・フレームよりなる１ハイパー・フレームを示す図である。
【００５２】
ベーシック・フレーム（basic frame）は１バイトのコントロール・ワードを持つ。そこで、容量を確保するため、本実施形態ではＣＰＲＩリンクで監視制御を行うのに最低限必要となるL1 inbandとSlow C&M並びにSync機能のみを盛り込む。すなわち、Fast C&M、Vender Specific、およびreserve部は削除することで容量を圧縮する。
【００５３】
コントロール・ワードはハイパー・フレーム（hyper frame）を一単位とし、その中で図８に示したようにマッピングされる。１ハイパー・フレーム（hyper frame）上での機能とコントロール・ワードのベーシック・フレーム（basic frame）のフレーム番号とのマッピングを示すと、表２の通りである。
【００５４】
【表２】
2010166509.tif 000004
ここで、Comma Byteはフレームの区切りを示すフレーム区切り情報であり、Synchronization and Timingは同期情報である。また、Slow C&Mは監視制御情報であり、L1 inbandは回線情報である。
【００５５】
例えばSlow C&Mを実装するには、ＣＰＲＩリンク上のベーシック・フレーム（basic frame）の＃１，６５，１２９，１９３があればよい。
【００５６】
そこで、表２に示した機能を実装する為に、１ハイパー・フレーム（hyper frame）内に、ベーシック・フレーム（basic frame）#0, 1, 2, 64, 65, 66, 128, 129, 130, 192, 193, 194のコントロール・ワードを残し、その他のコントロール・ワードは削除する。これらの値は、図１５Ｂに示したように、１ハイパー・フレーム（hyper frame）を４分割した際の各区切りの先頭３バイトに相当する。
【００５７】
このように、先頭３バイトのみにコントロール・ワードを付与した１／４ハイパー・フレーム（hyper frame）を定義し、コントロール・ワード部を圧縮し、かつ同期した形で実装する。
【００５８】
なお、網内のクロックについては以下のようにする。
【００５９】
再び図３を参照して、ＲＥＣ１３０とエントランス無線機３１０との間では、ＲＥＣ１３０が生成したＣＰＲＩクロック（６１４．４ＭＨｚ）を使用する。
【００６０】
エントランス無線機３１０とエントランス無線機３２０との間では、上記のＣＰＲＩクロックを３２０分周し、さらに８１倍して生成したＳＴＭ１クロック（１５５．５２ＭＨｚ）を使用する。
【００６１】
エントランス無線機３２０とＲＥ１５０との間では、上記のＳＴＭ１クロックを８１分周し、２倍した３．８４ＭＨｚをベースに、さらに１６０倍したＣＰＲＩクロック（６１４．４ＭＨｚ）を使用する。
【００６２】
このようなクロックを用いることで同期を取ることができる。
【００６３】
また、図１６に示したように、エントランス無線区間（ＳＴＭ１フレーム）では、Ａ１／Ａ２ビットを用いてフレーム同期をとる。
【００６４】
また、ＣＰＲＩ区間（ＣＰＲＩフレーム）では、コントロール・ワードのＮｓ＝０であるSynchronization and timing部（図８参照）を用いてフレーム同期をとる。
【００６５】
ＣＰＲＩ−エントランス区間（ＣＰＲＩフレーム−ＳＴＭ１フレーム）では、図１２を参照して説明した同期フレームを用いてフレーム同期をとる。
【００６６】
以上説明したように、本実施形態により、一般的なＳＤＨ回線を用いて無線制御部（ＲＥＣ）と無線部（ＲＥ）の接続が可能となる。特に、エントランス無線回線を用いることができ、光ファイバー敷設に要するコストを削減することができる。
【００６７】
また、無線制御装置（ＲＥＣ）を無線ネットワーク制御装置（ＲＮＣ）設置局にまとめて配置することができる。図４に示したように、屋外筐体タイプのエントランス無線装置及び無線装置（ＲＥ）を用いれば、基地局（ＢＴＳ）の敷設コストを下げることが可能になる。
［縮小フレームの詳細］
図１３乃至図１５Ｂを参照して縮小フレームを説明したが、さらにその詳細を説明する。
【００６８】
図１７は、図８に示した１ハイパー・フレーム内のサブチャネルのうち、最低限必要となるサブチャネル（表２参照）を示す図である。図１７に示したように、Comma Byte、Synchronization and Timing、Slow C&M link、L1 inband protocol以外を削除することで、データの圧縮を図ることができる。
【００６９】
通常、すべてのベーシック・フレームには、図１８Ａに示したように、１バイトのコントロール・バイトが付与される。
【００７０】
しかし、データ量を圧縮するため、図１７に示したサブチャネルにのみコントロール・バイトを割り当てる。したがって、ベーシック・フレームには、図１８Ｂに示したように、コントロール・バイトが付加されたもの（ＢＦで示した）と、コントロール・バイトが付加されていないもの（ＢＦ′で示した）がある。
【００７１】
ただし、そのままコントロール・バイトを削除してしまっては、ＣＰＲＩリンクに再変換した際に同期をとれなくなるため、特定のベーシック・フレーム（＃０，１，２，６４，６５，６６，１２８，１２９，１３０，１９２，１９３，１９４）のみにコントロール・バイトを付与することにより同期を確立するのである。
【００７２】
図１９は、ハイパー・フレームとサブチャネルとを対応付けて説明する図である。
「Ｐ」と示した部分(Ns=2, Xs=3)にはＳＴＭ１に格納するハイパー・フレームの番号を格納することで、ＳＴＭ１フレームに収容した際の同期をとる。
【００７３】
８つの連続したＳＴＭ１フレームを１つのＳＴＭ１拡張フレームとして、その中に１５個のハイパー・フレーム（hyper frames）を収容する。(Ns, Xs)=(2, 3)では、そのハイパー・フレームがそのＳＴＭ１拡張フレーム内の何番目のハイパー・フレームかを示す番号を格納する。
【００７４】
図２０は、ＳＴＭ１拡張フレームへの１５ハイパー・フレーム、すなわち３８４０ベーシック・フレームの格納を示す図である。ここで、ｎ＝０〜７とすると、#0+256*n番目のフレーム先頭バイトにて同期を取る。このタイミングでCPRI hyperframeに分割する。また、#194+256*n番目のベーシック・フレーム（basic frame）先頭バイトにて格納位置を確認する。
【００７５】
このように、ＳＴＭ１フレームを８フレーム結合した拡張ＳＴＭ１フレームを定義し、拡張ＳＴＭ１フレーム内にＣＰＲＩのベーシック・フレーム（basic frame）を格納して転送する。ＳＴＭ１フレーム間はＡ１／Ａ２ビットでフレーム間同期を取る。
【００７６】
各拡張ＳＴＭ１フレームには、４８０個のベーシック・フレーム（basic frame）を格納する。
【００７７】
拡張ＳＴＭ１フレーム単位で同期をとり、ＣＰＲＩフレームに戻す。但しそのままでは同期がとれないので、ベーシック・フレーム（basic frame）#0, 256, 512, 768, 1024, 1280, 1536, 1792, 2048, 2304, 2560, 2816, 3072, 3328, 3584, 3840の先頭バイトで同期をとる。拡張STM1フレーム内で、そのハイパー・フレームが何番目のものであるか、#194+256*n番目（ｎ＝０〜７）のベーシック・フレームの先頭バイトで知ることができる。
［一実施形態によるエントランス無線機］
図２１は、一実施形態によるエントランス無線機２１００を示す図である。エントランス無線機２１００は、例えば図３、図４に示したエントランス無線機３１０、３２０として用いることができる。
【００７８】
エントランス無線機２１００は、無線制御装置（ＲＥＣ）または無線装置（ＲＥ）とＣＰＲＩフレームを送受信するインターフェースであるＣＰＲＩインターフェース部２１０１を有する。
【００７９】
インターフェース部２１０１が受け取ったＣＰＲＩフレームは、フレーム変換部２１０２に送られ、上記の一実施形態によるフレーム変換方法を用いてＳＴＭ１フレームに変換され、変調器２１０４に送られる。
【００８０】
フレーム変換部２１０２により変換されたＳＴＭ１フレームは、変調器２１０４、送信機２１０５、送信機スイッチ２１０６、送信バンドパスフィルタと介して、アンテナ２１０８から対向するエントランス無線機（図示せず）に送信される。
【００８１】
一方、対向するエントランス無線機（図示せず）からのＳＴＭ１フレームは、アンテナ２１０８により受信され、受信バンドパスフィルタ２１０９、低雑音増幅器２１１０、信号分離部２１１１、受信機２１１２、復調器２１０３を介してフレーム変換部２１０２に入力される。フレーム変換部２１０２は、上記の一実施形態によるフレーム変換方法と逆の変換方法を用いてＳＴＭ１フレームをＣＰＲＩフレームに変換する。
【００８２】
フレーム変換部２１０２で変換されたＣＰＲＩフレームは、ＣＰＲＩインターフェース２１０１を介して、エントランス無線機２１００と接続された無線制御装置（ＲＥＣ）または無線装置（ＲＥ）に送られる。
【００８３】
以上、本発明の実施形態を詳述したが、本発明は特定の実施形態に限定されるものではなく、特許請求の範囲に記載された本発明の要旨の範囲内において、種々の変形及び変更が可能である。
【図面の簡単な説明】
【００８４】
【図１】従来の光ファイバーを用いたＣＰＲＩリンクによる無線基地局を示すブロック図である。
【図２】従来のエントランス無線の利用方法を示す図である。
【図３】一実施形態によるエントランス無線を用いたＣＰＲＩリンクによる無線基地局を示すブロック図である。
【図４】図３を立体的に示した模式図である。
【図５】ＣＰＲＩのプロトコルの概要を示す図である。
【図６Ａ】Ｃ&Ｍプレーンの一例を示す図である。
【図６Ｂ】Ｃ&Ｍプレーンのパラメータの例を示す図である。
【図７】ＩＱデータブロックへの収容を示すビットマップである。
【図８】１ハイパー・フレーム内のサブチャネルを示す図である。
【図９】ＣＰＲＩフレームを示す図である。
【図１０】ＳＴＭ１フレームを示す図である。
【図１１】１秒を基準としたＣＰＲＩフレームとＳＴＭ１フレームの対比を示す図である。
【図１２】同期フレームを示す図である。
【図１３】縮小ベーシック・フレームを示す図である。
【図１４】縮小ベーシック・フレームへのアンテナ・キャリアの収容例を示す図である。
【図１５Ａ】コントロール・ワードを含む縮小ベーシック・フレームを示す図である。
【図１５Ｂ】コントロール・ワードを含む縮小ベーシック・フレームよりなる１ハイパー・フレームを示す図である。
【図１６】フレーム間の同期方法を示す図である。
【図１７】最低限必要となるサブチャネルを示す図である。
【図１８Ａ】通常のベーシック・フレームを示す図である。
【図１８Ｂ】コントロール・バイトを付加したベーシック・フレームと付加していないベーシック・フレームを示す図である。
【図１９】ハイパー・フレームとサブチャネルとの対応を説明するための図である。
【図２０】ＳＴＭ１拡張フレームへの３８４０ベーシック・フレームの格納を説明するための図である。
【図２１】一実施形態によるエントランス無線機を示す図である。
【符号の説明】
【００８５】
１００  無線基地局
１１０  無線ネットワーク制御部
１３０  無線制御部
１５０  無線部
１５５  アンテナ
１７０  移動端末
２００  中央局
２０１  ＢＴＳ局
３００  ＢＴＳ設置局舎
３０１  ＲＥ設置局舎
３１０、３２０、２１００  エントランス無線機
２１０１  ＣＰＲＩインターフェース
２１０２  フレーム変換部
２１０４  変調部
２１０５  送信部
２１０６  送信スイッチ部
２１０７  送信バンドパスフィルタ
２１０８  アンテナ
２１０９  受信バンドパスフィルタ
２１１０  低雑音増幅器
２１１１  信号分離部
２１１２  受信部
２１１３  復調部
【図１】
2010166509.tif 000005
【図２】
2010166509.tif 000006
【図３】
2010166509.tif 000007
【図４】
2010166509.tif 000008
【図５】
2010166509.tif 000009
【図６Ａ】
2010166509.tif 000010
【図６Ｂ】
2010166509.tif 000011
【図７】
2010166509.tif 000012
【図８】
2010166509.tif 000013
【図９】
2010166509.tif 000014
【図１０】
2010166509.tif 000015
【図１１】
2010166509.tif 000016
【図１２】
2010166509.tif 000017
【図１３】
2010166509.tif 000018
【図１４】
2010166509.tif 000019
【図１５Ａ】
2010166509.tif 000020
【図１５Ｂ】
2010166509.tif 000021
【図１６】
2010166509.tif 000022
【図１７】
2010166509.tif 000023
【図１８Ａ】
2010166509.tif 000024
【図１８Ｂ】
2010166509.tif 000025
【図１９】
2010166509.tif 000026
【図２０】
2010166509.tif 000027
【図２１】
2010166509.tif 000028